(57)【要約】      （修正有）【課題】同報配信メッセージの受信中にページング用の物理チャネルの受信が生じる場合であっても、好適に同報配信メッセージを受信可能とする。【解決手段】配下の移動端末１００に対して一斉に送信される同報配信メッセージを送信する基地局２００と同報配信メッセージを受信する移動端末とを備える移動通信システム１における通信制御方法であって、基地局より移動端末に対して同報配信メッセージを送信する第１送信工程と、移動端末において、同報配信メッセージの受信中にページング用の物理チャネルの受信が生じる場合、ページング用の物理チャネルの受信を行うか否かを判定する判定工程とを備える。【選択図】図１
2011139205.tif 000002
【特許請求の範囲】
【請求項１】
配下の移動端末に対して一斉に送信される同報配信メッセージを送信する基地局と前記同報配信メッセージを受信する移動端末とを備える移動通信システムにおける通信制御方法であって、
前記基地局より前記移動端末に対して前記同報配信メッセージを送信する第１送信工程と、
前記移動端末において、前記同報配信メッセージの受信中にページング用の物理チャネルの受信が生じる場合、前記ページング用の物理チャネルの受信を行うか否かを判定する判定工程と
を備えることを特徴とする通信制御方法。
【請求項２】
前記同報配信メッセージの受信を指定するユーザ設定情報を前記移動端末に対して設定する設定工程を更に備え、
前記判定工程は、前記ユーザ設定情報に基づいて、前記ページング用の物理チャネルの受信を行うか否かを判定することを特徴とする請求項１に記載の通信制御方法。
【請求項３】
前記基地局より前記移動端末に対して、前記同報配信メッセージの優先度を示す優先度情報を送信する第２送信工程を更に備え、
前記判定工程は、前記優先度情報に基づいて、前記ページング用の物理チャネルの受信を行うか否かを判定することを特徴とする請求項１又は２に記載の通信制御方法。
【請求項４】
配下の移動端末に対して一斉に送信される同報配信メッセージを送信する基地局と前記同報配信メッセージを受信する移動端末とを備える通信システムであって、
前記基地局は、前記移動端末に対し前記同報配信メッセージを送信する第１送信手段を備え、
前記移動端末は、前記同報配信メッセージの受信中にページング用の物理チャネルの受信が生じる場合、前記ページング用の物理チャネルの受信を行うか否かを判定する判定手段を備えることを特徴とする移動通信システム。
【請求項５】
前記移動端末は、前記同報配信メッセージの受信を指定するユーザ設定情報を設定する設定手段を更に備え、
前記判定手段は、前記ユーザ設定情報に基づいて、前記ページング用の物理チャネルの受信を行うか否かを判定することを特徴とする請求項４に記載の移動通信システム。
【請求項６】
前記基地局は、前記基地局より前記移動端末に対して、前記同報配信メッセージの優先度を示す優先度情報を送信する第２送信手段を更に備え、
前記判定手段は、前記優先度情報に基づいて、前記ページング用の物理チャネルの受信を行うか否かを判定することを特徴とする請求項４又は５に記載の移動通信システム。
【発明の詳細な説明】
【技術分野】
【０００１】
本発明は、移動通信システムにおける通信制御方法に関し、例えば、Ｗ−ＣＤＭＡ（Wideband-Code Division Multiple Access）移動通信システムにおいて用いられるＣＢＳ（Cell Broadcast Service：セルブロードキャストサービス）によるＣＢＳメッセージ等を含む同報配信メッセージの通信制御方法の技術分野に関する。
【背景技術】
【０００２】
地震や津波など災害が発生した場合に、周辺地域に緊急にその情報を一斉送信する通信システムとして、Ｗ−ＣＤＭＡ移動通信システムでは、３ＧＰＰ（3rd Generation Partnership Project：第３世代パートナーシッププロジェクト）で標準化されているＣＢＳによる同報配信方法を備えている。ＣＢＳを用いて送信される同報配信方法においては、基地局において、ＣＢＳメッセージに緊急情報などを付加して無線区間に送信することで、該セル内に存在する移動端末にＣＢＳメッセージが送信される。
【０００３】
尚、ＣＢＳメッセージは、例えば上述した災害発生時などの緊急情報の同報配信に用いられており、セル内に在圏する移動端末全てに対し、同時に送信されることが望ましいとされている。このため、ＣＢＳメッセージの送信には、Ｗ−ＣＤＭＡ移動通信システムのセルにおける無線チャネルとして、共通チャネルのＳＣＣＰＣＨ（Secondary Common Control Physical Channel：セカンダリ共通制御物理チャネル）が用いられる。
【０００４】
移動端末に送信されるＣＢＳメッセージが有る場合、ＣＢＳメッセージの受信に先立って、ＣＢＳメッセージの存在が基地局から移動端末に対して通知される。具体的には、ＰＣＣＰＣＨ（Primary Common Control Physical Channel：プライマリ共通制御チャネル）によるシステム情報の伝送を行うＢＣＣＨ（Broadcasting Control Channel：報知制御チャネル）内の情報要素である「ＣＴＣＨ  ｉｎｄｉｃａｔｏｒ（Common Traffic Channel Indicator：共通トラフィックチャネルインジケータ）」が、「ＣＢＳメッセージ有り」と設定されることで、ＣＢＳメッセージの存在が通知される。この通知により、移動端末は在圏するセルにおいてＣＢＳメッセージが送信されて来ていることが確認出来るため、ＣＴＣＨ（Common Traffic Channel：共通トラフィックチャネル）にてＣＢＳメッセージを受信することで、移動端末のユーザは、緊急情報を確認することが出来る。
【０００５】
ＣＢＳメッセージの受信とは別に、移動端末に着呼がある場合、基地局は、どの移動端末向けの着呼で有るかを示す情報などを含むページングメッセージを送信し、移動端末の呼び出しを行う。かかるページングメッセージは、トランスポートチャネルとしてＰＣＨ（Paging Channel：ページングチャネル）を、論理チャネルとしてＰＣＣＨ（Paging Control Channel：ページング制御チャネル）を夫々使用し、物理チャネルとしてＳＣＣＰＣＨを介して伝送される。また、移動端末は、かかるＳＣＣＰＣＨを常時受信するのではなく、一定の受信周期毎に受信を行う間欠受信を行っている。更に、移動端末は、該ＳＣＣＰＣＨ受信の直前にＰＩＣＨ（Paging Indication Channel：ページング表示チャネル）により通知される、ＳＣＣＰＣＨの予告ともいうべきページング表示（ＰＩ：Paging Indicator）を参照している。移動端末は、例えば、２．５秒程度の所定の周期毎にＰＩＣＨを受信することで、ＰＩの参照を行っている。
【０００６】
移動端末は、固有のＩＤにより複数のグループに分類されている。また、ＰＩには、ＳＣＣＰＣＨにより伝送される着信がどのグループに属する移動端末向けのものであるかを示す情報が含まれている。このため、移動端末は、実際にＳＣＣＰＣＨによる送信内容を確認する前に、ＰＩを確認し、該ＰＩに示される着信先が自身の属するグループ向けのものである場合にＳＣＣＰＣＨによる送信内容を確認する。
【先行技術文献】
【特許文献】
【０００７】
【特許文献１】特開２００１−１９７０２１号公報
【特許文献２】特開２００５−２４４４８４号公報
【発明の概要】
【発明が解決しようとする課題】
【０００８】
ところで、ＰＩＣＨ受信に用いられる物理チャネルは、ＣＢＳメッセージの受信に用いられる物理チャネルであるＳＣＣＰＣＨと分かれているため、これらの受信を同時に行うためには、移動端末は複数の回線を有している必要がある。このため、このような複数の回線を有しない従来の移動端末においては、ＣＢＳメッセージの受信とＰＩＣＨ受信とを同時に行えないものがある。
【０００９】
Ｗ−ＣＤＭＡ移動通信システムにおいて採用される規格である３ＧＰＰ標準下の移動端末では、ＣＢＳメッセージの受信中にＰＩＣＨによるＰＩの通知の受信（以下、ＰＩＣＨ受信と記載する）が生じる場合、ＣＢＳメッセージの受信を中断してＰＩＣＨ受信を優先するよう規定されている。このため、ＰＩＣＨ受信のタイミングによっては、中断期間のＣＢＳメッセージの受信が出来ず、ＣＢＳメッセージが適切に取得されない虞がある。
【００１０】
本発明は、例えば上述の技術的な問題に鑑みて為されたものであり、ＣＢＳメッセージ等の同報配信メッセージの受信中にＰＩＣＨ等のページング用のチャネルの受信が生じる場合であっても、好適に同報配信メッセージを受信することが可能な通信制御方法及び移動通信システムを提供することを課題とする。
【課題を解決するための手段】
【００１１】
上記課題を解決するために、開示の通信制御方法は、配下の移動端末に対して一斉に送信される同報配信メッセージを送信する基地局と前記同報配信メッセージを受信する移動端末とを備える移動通信システムにおける通信制御方法であって、第１送信工程と、判定工程とを備える。これらの各工程においては、以下に説明する動作が行われる。
【００１２】
先ず、第１送信工程においては、基地局により、該基地局がカバーする無線区間であるセル内の移動端末に対して、同報配信メッセージが送信される。同報配信メッセージは、基地局から一斉に送信されるメッセージであって、例えば災害発生時の緊急情報等を含む。尚、第１送信工程は、基地局側において実行される工程である。
【００１３】
判定工程においては、同胞配信メッセージの受信期間中にページング用の物理チャネルの受信を行うか否かが判定される。この判定は、同報配信メッセージの受信中にページング用の物理チャネルの受信が生じるタイミングで行われる。尚、判定工程は、移動端末側において実行される工程である。
【００１４】
上記課題を解決するために、開示の移動通信システムは、配下の移動端末に対して一斉に送信される同報配信メッセージを送信する基地局と前記同報配信メッセージを受信する移動端末とを備える。基地局は、第１送信手段を備える。第１送信手段は、上述の第１送信工程において行われる動作と同様の動作を行う。移動端末は、判定手段を備える。判定手段は、上述の判定工程において行われる動作と同様の動作を行う。
【発明の効果】
【００１５】
開示の通信制御方法及び移動通信システムによれば、同報配信メッセージとページング用の物理チャネルとの夫々の受信が同一タイミングで生じる場合においても、移動端末は、適切に同報配信メッセージを受信することが可能となる。具体的には、判定工程ないしは判定手段によりページング用の物理チャネルの受信を行わないと判定されれば、移動端末は、ページング用の物理チャネルの受信に代えて同報配信メッセージの受信を行うことができる。このため、同報配信メッセージにおける緊急情報配信の用途において有効である。
【図面の簡単な説明】
【００１６】
【図１】Ｗ−ＣＤＭＡ移動通信システムにおける基地局と移動端末との構成を示すブロック図である。
【図２】Ｗ−ＣＤＭＡ移動通信システムの移動端末におけるＣＢＳメッセージ受信の処理フローを示すフローチャートである。
【図３】本実施例の通信制御方法におけるＣＢＳメッセージ受信の処理フローを示すフローチャートである。
【図４】ユーザ設定に基づくＰＩＣＨ受信の有無を示すテーブルである。
【図５】送信信号の伝送に用いられる論理チャネル、トランスポートチャネル及び物理チャネルの対応を示す図である。
【図６】ＣＢＳメッセージ受信とＰＩＣＨ受信との受信期間を示す図である。
【発明を実施するための形態】
【００１７】
以下、本発明を実施するための形態について図面を参照しながら説明する。
【００１８】
（１）移動通信システムの基本構成
図１を参照して、本実施形態に係る通信制御方法が適用される移動通信システムの基本的な構成について説明する。図１は本実施形態に係る移動通信システムを構成する移動端末及び基地局の各部の構成を示すブロック図である。図１において、本実施形態の通信制御方法が適用される移動通信システム１は、移動端末１００と、基地局２００とを備えている。移動通信システム１においては、基地局２００から送信される各種情報を移動端末１００において受信することで、移動端末１００のユーザが該情報を取得可能となっている。
【００１９】
移動端末１００は、従来の携帯電話などの移動端末が有する音声通話を実施可能な不図示の構成を備えるとともに、基地局２００より送信されるＣＢＳメッセージを受信及び表示可能な機能を備える。特に、移動端末１００は、無線受信部１１０と、通信制御部１２０と、表示部１３０と、操作部１４０と、ユーザ情報記憶部１５０とを備えて構成されている。
【００２０】
無線受信部１１０は、無線アクセスネットワークを介して基地局２００の無線送信部２１０と接続され、基地局から送出される無線信号を受信し、受信した信号を通信制御部１２０へ入力可能に構成されている。例えば、無線受信部１１０は、基地局２００から送信される送信信号を受信し、ＣＢＳ（Cell Broadcast Service：セルブロードキャストサービス）メッセージの受信や、着信を行う。また、無線受信部１１０は、所定の周期で基地局２００からのＰＩＣＨ（Paging Indication Channel：ページング表示チャネル）を間欠受信し、移動端末２００宛の着信の有無をモニタリングしている。
【００２１】
通信制御部１２０は、受信した無線信号の入力を受け、該無線信号の通信チャネル信号を制御する。また、通信制御部１２０は、入力を受けた無線信号をメッセージなどの表示可能な態様で表示部１３０に入力する。更に、通信制御部１２０は、ＣＢＳメッセージの入力を受け、ユーザ情報記憶部１５０に格納されるユーザ設定を参照し、ＰＩＣＨ受信の判定を行う。
【００２２】
表示部１３０は、液晶表示装置などにより構成されており、受信した情報を表示可能に構成されている。操作部１４０は、各種操作のためのキー、文字や英数字を入力するためのキーなどを備え、ユーザによる操作を入力可能に構成されている。ユーザ情報記憶部１５０は、メモリなどの情報記憶手段により構成されており、典型的には、ユーザにより設定される各種情報を記憶可能に構成されている。ユーザ情報記憶部１５０は、特に後述するようにＣＢＳメッセージの受信時にＰＩＣＨ受信を行うか否かについてのユーザ設定を格納する。
【００２３】
基地局２００は、コアネットワークに接続されるとともに、無線アクセスネットワークを介して移動端末１００と接続される。また、基地局２００は、無線送信部２１０と、マルチプレクサ（ＭＵＸ）２２０と、論理チャネル情報生成部２３１乃至２３６と、通信制御部２４０とを備える。
【００２４】
無線送信部２１０は、例えば無線アクセスネットワークを介して移動端末１００とデータの送受信が可能な態様で接続されるアンテナを含む無線送信手段であって、ＭＵＸ２２０にて多重化された情報を送信する。
【００２５】
ＭＵＸ２２０は、通信制御部２４０の制御の下に論理チャネル情報生成部２３１乃至２３６によって生成される呼出情報、報知情報、制御情報、ＣＢＳメッセージ、ユーザ情報の夫々を多重化して、無線送信部２１０に入力する多重化手段である。
【００２６】
論理チャネル情報生成部２３１は、論理チャネルの一例であるＰＣＣＨ（Paging Control Channel：ページング制御チャネル）を介して送信される、呼出情報などの情報を生成する。論理チャネル生成部２３２は、論理チャネルの一例であるＢＣＣＨ（Broadcast Control Channel：報知制御チャネル）を介して送信される、報知情報などの情報を生成する。論理チャネル生成部２３３は、論理チャネルの一例であるＣＣＣＨ（Common Control Channel：共通制御チャネル）を介して送信される、制御情報などの情報を生成する。論理チャネル生成部２３４は、論理チャネルの一例であるＣＴＣＨ（Common Traffic Channel：共通トラフィックチャネル）を介して送信される、ＣＢＳメッセージなどの情報を生成する。論理チャネル生成部２３５は、論理チャネルの一例であるＤＣＣＨ（Dedicated Control Channel：個別制御チャネル）を介して送信される、ユーザ情報などの情報を生成する。論理チャネル生成部２３６は、論理チャネルの一例であるＤＴＣＨ（Dedicated Traffic Channel：個別トラフィックチャネル）を介して送信される、ユーザ情報などの情報を生成する。
【００２７】
通信制御部２４０は、コアネットワークに接続され、ユーザデータや端末の接続処理に用いられる情報の送受信を行う。特に本実施形態の通信制御部２４０は、コアネットワークからＣＢＳメッセージの配信指示が行われた場合に、ＣＢＳメッセージの配信を行い且つ報知情報（ＢＣＣＨ）内にＣＢＳメッセージ優先度情報を追加するように論理チャネル情報生成部２３１乃至２３６を制御する。
【００２８】
（２）ＣＢＳメッセージ配信の処理フロー
続いて、本実施形態に係る基地局２００の通信制御部２４０において実行されるＣＢＳメッセージ配信処理の処理フローについて図２を参照して説明する。図２は、ＣＢＳメッセージ配信処理の流れを示すフローチャートである。
【００２９】
ＣＢＳメッセージの配信の処理の流れとして、先ず基地局２００の通信制御部２４０は、コアネットワークから送信されるＷｒｉｔｅ−Ｒｅｐｌａｃｅ信号を受信することでＣＢＳメッセージの配信を検出する（ステップＳ１０１）。
【００３０】
続いて、通信制御部２４０は、報知情報（ＢＣＣＨ）内のパラメータであるＣＴＣＨ  Ｉｎｄｉｃａｔｏｒを「Ｔｒｕｅ」に設定する（ステップＳ１０２）。また、通信制御部２４０は、Ｗｒｉｔｅ−Ｒｅｐｌａｃｅ信号内に含まれる情報要素たるＣａｔｅｇｏｒｙにおいて示される優先度情報を、報知情報（ＢＣＣＨ）内にＣＢＳメッセージ優先度として設定する（ステップＳ１０３）。ここに、メッセージ優先度とは、例えば受信されるＣＢＳメッセージの内容の緊急度や重要度に応じて設定され、ＣＢＳメッセージの受信が優先して行われるべきであるか否かを規定する優先度を示す。例えば、メッセージ優先度は、受信されるＣＢＳメッセージ毎に「高」または「低」などのように設定される。尚、より詳細な分類により優先度を示しても良い。
【００３１】
そして、通信制御部２４０は、ＣＴＣＨにより伝送されるＣＢＳメッセージ（ＣＴＣＨ）内にＣＢＳメッセージ内容を設定する（ステップＳ１０４）。
【００３２】
報知情報（ＢＣＣＨ）内に設定されるＣＴＣＨ  Ｉｎｄｉｃａｔｏｒの「Ｔｒｕｅ」設定や、ＣＢＳメッセージ優先度、及びＣＢＳメッセージ（ＣＴＣＨ）内に設定されるＣＢＳメッセージ内容は、ＭＵＸ２２０において多重化され、無線信号として無線送信部２１０よりセル内の移動端末１００に送信される。移動端末１００では、無線受信部１１０において受信した無線信号が不図示のデマルチプレクサにおいて各情報が取得され、通信制御部１２０に入力される。
【００３３】
ここで、本実施形態に係る移動端末１００の通信制御部１２０において実行されるＣＢＳメッセージ受信及びＣＢＳメッセージ受信時のＰＩＣＨ受信の処理について、図３を参照して説明する。図３は、移動端末１００の通信制御部１２０において実行されるＣＢＳメッセージ受信時のＰＩＣＨ受信の有無を判定する処理の流れを示すフローチャートである。
【００３４】
先ず、通信制御部１２０は、基地局２００から送信されるＢＣＣＨ情報内のＣＴＣＨ  Ｉｎｄｉｃａｔｏｒが「Ｔｒｕｅ」に設定されることで、送信されるべきＣＢＳメッセージが存在することを検出し、処理を開始する。
【００３５】
先ず、通信制御部１２０は、ＢＣＣＨ受信データ内のＣＢＳメッセージ優先度を参照し、送信されるＣＢＳメッセージの優先度を取得する（ステップＳ２０１）。同時に、または相前後して、通信制御部１２０は、ユーザ情報記憶部１５０に格納されるＣＢＳメッセージ受信時のＰＩＣＨ受信の有無に係るユーザ設定情報を取得する（ステップＳ２０２）。
【００３６】
通信制御部１２０は、取得されたＣＢＳメッセージ優先度とユーザ設定情報とに基づいて、ＣＢＳメッセージ受信時のＰＩＣＨ受信を行うか否かを判定する（ステップＳ２０３）。
【００３７】
ここで、図４を参照して、このようなＣＢＳメッセージ受信時のＰＩＣＨ受信の有無の判定の態様について説明する。ここに、図４は、ＣＢＳメッセージ優先度とユーザ設定情報とに応じて場合分けされるＣＢＳメッセージ受信時のＰＩＣＨ受信の有無を規定するテーブルの例である。
【００３８】
図４に示されるテーブルに応じて、通信制御部１２０は、ＣＢＳメッセージ受信中にＰＩＣＨ受信があった場合のＰＩＣＨ受信を実行するか否かを決定する。
【００３９】
本実施形態の移動端末１００では、ユーザ設定として、図４に示される「強制モード」と「カスタムモード」の２つのいずれか一方が選択され、ユーザ情報記憶部１５０に格納される。「強制モード」設定時は、後述するＢＣＣＨ受信データ内の優先度情報などに関係なく、ユーザの設定に応じてＰＩＣＨ受信の有無が設定される。つまり、ユーザが「ＰＩＣＨ受信無し」を設定していれば、通信制御部１２０は、ＢＣＣＨ受信データ内の優先度情報などに関わらずＣＢＳメッセージ受信時にはＰＩＣＨ受信を行わない。他方で、ユーザが「ＰＩＣＨ受信有り」を設定していれば、通信制御部１２０は、ＢＣＣＨ受信データ内の優先度情報などに関わらず、ＣＢＳメッセージ受信時であってもＰＩＣＨ受信を行う。
【００４０】
「カスタムモード」設定時は、通信制御部１２０は、基地局２００から送信されるＢＣＣＨ受信データ内の各情報と、ユーザ設定情報とに基づいてＰＩＣＨ受信の有無の判定を行う。
【００４１】
図４に示されるように本実施形態のＢＣＣＨ受信データの優先度情報は、受信されるＣＢＳメッセージについて「優先度」、「目的」、「時間帯」及び「地域」の４項目について夫々優先度に係る情報を含んでいる。
【００４２】
「優先度」は、ＣＢＳメッセージ受信がＰＩＣＨ受信に対して優先して実行されるか否かを規定する情報であって、「優先度」が「高」の場合、通信制御部１２０は、ＣＢＳメッセージ受信時にはＰＩＣＨ受信を行わない。他方で、「優先度」が「低」の場合、通信制御部１２０は、ＣＢＳメッセージ受信時であってもＰＩＣＨ受信を行う。
【００４３】
「目的」は、ＣＢＳメッセージ受信が災害情報などの緊急を要する情報であるか否かを規定する情報であって、「目的」が「緊急」の場合、通信制御部１２０は、ＣＢＳメッセージ受信時にはＰＩＣＨ受信を行わない。他方で、「目的」が「非緊急」の場合、通信制御部１２０は、ＣＢＳメッセージ受信時であってもＰＩＣＨ受信を行う。
【００４４】
「時間帯」は、ＣＢＳメッセージ内容が現在の時間帯を含む情報であるか否かを規定する情報であって、「時間帯」が「時間内」の場合、通信制御部１２０は、ＣＢＳメッセージ受信時にはＰＩＣＨ受信を行わない。他方で、「時間帯」が「時間外」の場合、通信制御部１２０は、ＣＢＳメッセージ受信時であってもＰＩＣＨ受信を行う。
【００４５】
「地域」は、ＣＢＳメッセージ内容が現在の地域を含む内容であるか否かを規定する情報であって、「地域」が「地域内」の場合、通信制御部１２０は、ＣＢＳメッセージ受信時にはＰＩＣＨ受信を行わない。他方で、「地域」が「地域外」の場合、通信制御部１２０は、ＣＢＳメッセージ受信時であってもＰＩＣＨ受信を行う。
【００４６】
尚、図４の表に示されるテーブルにおいては、ＢＣＣＨ受信データ内情報に「優先度」＞「目的」＞「時間帯」＞「地域」との順に優先順位が設けられている。このため、「優先度」が「低」である場合に「目的」について判定され、「目的」が「非緊急」である場合に「時間帯」について判定され、「時間帯」が「時間外」である場合に「地域」について判定されるよう設定されている。
【００４７】
図５には、Ｗ−ＣＤＭＡ移動通信システムにおいて用いられる論理チャネル、トランスポートチャネル及び物理チャネルの夫々の対応が示されている。
【００４８】
一般的に、ＣＢＳメッセージはセル内のユーザすべてに対して一斉に配信される。このため、Ｗ−ＣＤＭＡ移動通信システムのセルにおける無線チャネルとして、共通チャネルであるＳＣＣＰＣＨが使用される。このＳＣＣＰＣＨから、トランスポートチャネルとしてはＦＡＣＨ（Forward Access Channel：フォワードアクセスチャネル）が、論理チャネルとしてはＣＴＣＨ（Common Traffic Channel：共通トラフィックチャネル）が夫々用いられて伝送される。
【００４９】
尚、ＣＢＳメッセージの配信に先立って、移動端末に対して送信されるべきＣＢＳメッセージが有るか否かが、ＰＣＣＰＣＨによるシステム情報の伝送を行うＢＣＣＨ（Broadcast Control Channel:報知制御チャネル）内の情報要素である「ＣＴＣＨ  ｉｎｄｉｃａｔｏｒ」により通知される。
【００５０】
本実施形態においては、上述したように基地局２００の通信制御部２４０により、ＢＣＣＨ内の「ＣＴＣＨ  ｉｎｄｉｃａｔｏｒ」が「Ｔｒｕｅ」に設定されると共に、送信されるべきＣＢＳメッセージの優先度情報がＢＣＣＨ内に設定される。このため、基地局２００から移動端末１００に対して「ＣＴＣＨ  ｉｎｄｉｃａｔｏｒ」が「Ｔｒｕｅ」であるとの通知が為される場合に、送信されるべきＣＢＳメッセージの優先度情報が通知される。結果、移動端末１００の通信制御部１２０によれば、受信されるＣＢＳメッセージの優先度情報に基づき、図４に示すようなＰＩＣＨ受信の有無の判定を行うことが出来る。
【００５１】
一方、移動端末への着呼がある場合のＳＣＣＰＣＨ受信前に通知されるＰＩは、ＰＩＣＨにより通知される。
【００５２】
以上、説明した本実施形態の通信制御方法が適用される場合の効果について、従来の（つまり、本実施形態に依らない）通信制御方法が適用される移動通信システムと比較しながら説明する。
【００５３】
図６は、ＣＢＳメッセージの受信中にＰＩＣＨの受信が生じた場合の移動端末における受信時の態様を示すタイムチャートである。特に、図６（ａ）は、従来の通信制御方法が適用される移動通信システムにおける移動端末での受信の態様を示し、図６（ｂ）は、本実施形態の通信制御方法が適用される移動通信システムにおける移動端末での受信の態様を示す。
【００５４】
図６（ａ）に示されるように、従来の通信制御方法によれば、ＣＢＳメッセージの受信中に、ＰＩＣＨ受信が生じる場合、移動端末は、ＣＢＳメッセージの受信を中断し、ＰＩＣＨ受信を行っている。このため、中断期間のＣＢＳメッセージデータについては移動端末側で受信されず、ＣＢＳメッセージが取得されない。
【００５５】
他方で、図６（ｂ）に示される本実施形態の通信制御方法において、上述したようにＣＢＳメッセージ受信中のＰＩＣＨ受信を行わないよう設定されている場合、ＣＢＳメッセージの受信期間中にＰＩＣＨ受信が生じても、移動端末はＰＩＣＨ受信を行わない。このため、ＣＢＳメッセージの受信が中断されることがなく、適切にＣＢＳメッセージが取得される。
【００５６】
また、本実施形態によれば、ユーザ設定に基づいてＣＢＳメッセージ受信時のＰＩＣＨ受信の有無の判定を行うことができる。このため、ＣＢＳメッセージを受信するユーザ側の判断で、ＣＢＳメッセージの受信を中断することなく確実に行うか又はＣＢＳメッセージの受信を中断してＰＩＣＨ受信を優先させるかを設定することができる。
【００５７】
また、本実施形態によれば、ＢＣＣＨ受信データ内の優先度情報に基づいてＣＢＳメッセージ受信時のＰＩＣＨ受信の有無の判定を行うことができる。このため、ＣＢＳメッセージを作成する側の判断で、相対的に重要な若しくは緊急なＣＢＳメッセージの受信を中断することなく確実に行うか又は相対的に重要でない若しくは緊急でないＣＢＳメッセージの受信を中断してＰＩＣＨ受信を優先させるかを設定することができる。
【００５８】
尚、上述の説明では、ユーザ情報及び優先度情報の双方に基づいてＣＢＳメッセージ受信時のＰＩＣＨ受信の有無の判定を行っている。しかしながら、ユーザ情報及び優先度情報の一方に基づいて、ＣＢＳメッセージ受信時のＰＩＣＨ受信の有無の判定を行うように構成してもよい。或いは、ユーザ情報及び優先度情報とは異なる他の要素に基づいて、ＣＢＳメッセージ受信時のＰＩＣＨ受信の有無の判定を行うように構成してもよい。
【００５９】
以上説明した実施形態に対して、以下の付記を記載する。
【００６０】
（付記１）
配下の移動端末に対して一斉に送信される同報配信メッセージを送信する基地局と前記同報配信メッセージを受信する移動端末とを備える移動通信システムにおける通信制御方法であって、前記基地局より前記移動端末に対して前記同報配信メッセージを送信する第１送信工程と、前記移動端末において、前記同報配信メッセージの受信中にページング用の物理チャネルの受信が生じる場合、前記ページング用の物理チャネルの受信を行うか否かを判定する判定工程とを備えることを特徴とする通信制御方法。
【００６１】
（付記２）
前記同報配信メッセージの受信を指定するユーザ設定情報を前記移動端末に対して設定する設定工程を更に備え、前記判定工程は、前記ユーザ設定情報に基づいて、前記ページング用の物理チャネルの受信を行うか否かを判定することを特徴とする付記１に記載の通信制御方法。
【００６２】
（付記３）
前記基地局より前記移動端末に対して、前記同報配信メッセージの優先度を示す優先度情報を送信する第２送信工程を更に備え、前記判定工程は、前記優先度情報に基づいて、前記ページング用の物理チャネルの受信を行うか否かを判定することを特徴とする付記１又は２に記載の通信制御方法。
【００６３】
（付記４）
配下の移動端末に対して一斉に送信される同報配信メッセージを送信する基地局と前記同報配信メッセージを受信する移動端末とを備える通信システムであって、前記基地局は、前記移動端末に対し前記同報配信メッセージを送信する第１送信手段を備え、前記移動端末は、前記同報配信メッセージの受信中にページング用の物理チャネルの受信が生じる場合、前記ページング用の物理チャネルの受信を行うか否かを判定する判定手段を備えることを特徴とする移動通信システム。
【００６４】
（付記５）
前記移動端末は、前記同報配信メッセージの受信を指定するユーザ設定情報を設定する設定手段を更に備え、前記判定手段は、前記ユーザ設定情報に基づいて、前記ページング用の物理チャネルの受信を行うか否かを判定することを特徴とする付記４に記載の移動通信システム。
【００６５】
（付記６）
前記基地局は、前記基地局より前記移動端末に対して、前記同報配信メッセージの優先度を示す優先度情報を送信する第２送信手段を更に備え、前記判定手段は、前記優先度情報に基づいて、前記ページング用の物理チャネルの受信を行うか否かを判定することを特徴とする付記４又は５に記載の移動通信システム。
【００６６】
（付記７）
基地局から配下の移動端末に対して一斉送信される同報配信メッセージを受信する受信手段と、前記同報配信メッセージの受信中にページング用の物理チャネルの受信が生じる場合、前記ページング用の物理チャネルの受信を行うか否かを判定する判定手段を備えることを特徴とする移動端末。
【００６７】
（付記８）
配下の移動端末に対して一斉に送信される同報配信メッセージを送信する第１送信手段と、前記基地局より前記移動端末に対して、前記同報配信メッセージの優先度を示す優先度情報を送信する第２送信手段とを備えることを特徴とする基地局。
【符号の説明】
【００６８】
１００  移動端末、
１１０  無線受信部、
１２０  通信制御部（移動端末側）、
１３０  ユーザ情報記憶部、
２００  基地局、
２１０  無線送信部、
２４０  通信制御部（基地局側）。
【図１】
2011139205.tif 000003
【図２】
2011139205.tif 000004
【図３】
2011139205.tif 000005
【図４】
2011139205.tif 000006
【図５】
2011139205.tif 000007
【図６】
2011139205.tif 000008